(57)【要約】【課題】蓄電素子と、蓄電素子及び少なくとも１つの電気部品を電気的に接続する導電部材とを備える蓄電装置であって、信頼性の高い蓄電装置を提供すること。【解決手段】蓄電素子３００と、蓄電素子３００及び少なくとも１つの電気部品である保護回路８００を電気的に接続する導電部材５００とを備える蓄電装置１０であって、導電部材５００は、蓄電素子３００側の端部である第一端部５１１を含む第一導電部材５１０と、保護回路８００側の端部である第二端部５２１を含む第二導電部材５２０であって、第一導電部材５１０と異なる物性の材料で形成された第二導電部材５２０とを有し、第一導電部材５１０及び第二導電部材５２０の接合部５８０は、第一端部５１１と第二端部５２１との間の中間部に配置されている。【選択図】図４
2018110083.tif 000002
【特許請求の範囲】
【請求項１】
蓄電素子と、前記蓄電素子及び少なくとも１つの電気部品を電気的に接続する導電部材とを備える蓄電装置であって、
前記導電部材は、前記蓄電素子側の端部である第一端部を含む第一導電部材と、前記少なくとも１つの電気部品側の端部である第二端部を含む第二導電部材であって、前記第一導電部材と異なる物性の材料で形成された第二導電部材とを有し、
前記第一導電部材及び前記第二導電部材の接合部は、前記第一端部と前記第二端部との間の中間部に配置されている、
蓄電装置。
【請求項２】
前記導電部材における電流経路上において、前記接合部と前記少なくとも１つの電気部品と間の距離は、前記接合部と前記蓄電素子との間の距離よりも長い、
請求項１記載の蓄電装置。
【請求項３】
前記接合部において、前記第一導電部材と前記第二導電部材との間には、前記第一導電部材及び前記第二導電部材のいずれとも異なる物性の材料で形成された第三導電部材が介在している、
請求項１または２に記載の蓄電装置。
【請求項４】
前記第三導電部材は、前記第一導電部材または前記第二導電部材に被膜したメッキ層である、
請求項３記載の蓄電装置。
【請求項５】
前記第三導電部材は、板材である、
請求項３記載の蓄電装置。
【請求項６】
さらに、前記接合部の側方の位置において、前記第一導電部材及び前記第二導電部材に挟まれて配置された封止部材を備える、
請求項１〜５のいずれか一項に記載の蓄電装置。
【請求項７】
前記第一導電部材と前記第二導電部材とはクリンチかしめによって接合されている、
請求項１〜６のいずれか一項に記載の蓄電装置。
【発明の詳細な説明】
【技術分野】
【０００１】
本発明は、蓄電素子を備える蓄電装置に関する。
【背景技術】
【０００２】
従来、例えば二次電池の端子と導電部材との接合部分に関する技術が開示されている（特許文献１参照）。この二次電池では、正極側電流経路部材および負極側電流経路部材のいずれか一方には、異種金属同士を接合した変換部が設けられる。正負極外部端子の各接合部の表面には、いずれもバスバー等の導電部材と同種金属材料が露出されている。
【先行技術文献】
【特許文献】
【０００３】
【特許文献１】特開２０１２−１２３９４６号公報
【発明の概要】
【発明が解決しようとする課題】
【０００４】
上記従来の二次電池のように、電流経路上において異種金属同士が接合された部分（接合部）を設けた場合、抵抗等の物性の違いに起因して接合部が発熱する場合がある。この点に関し、例えば上記従来の二次電池では、異種金属同士の接合部が、二次電池のケースに固定された電極端子に設けられているため、二次電池が接合部からの熱を受けやすい。このことは、例えば二次電池の性能または安全性の観点から好ましくない。
【０００５】
また、二次電池等の蓄電素子から延びる電流経路上には、他の蓄電素子だけでなく、ヒューズもしくはリレー等の電気部品、または、複数の電気部品を含む電気回路などが配置される場合もある。そのため、異種金属同士の接合部の熱によって、１以上の電気部品を劣化させる可能性もある。
【０００６】
本発明は、上記従来の課題を考慮し、蓄電素子と、蓄電素子及び少なくとも１つの電気部品を電気的に接続する導電部材とを備える蓄電装置であって、信頼性の高い蓄電装置を提供することを目的とする。
【課題を解決するための手段】
【０００７】
上記目的を達成するために、本発明の一態様に係る蓄電装置は、蓄電素子と、前記蓄電素子及び少なくとも１つの電気部品を電気的に接続する導電部材とを備える蓄電装置であって、前記導電部材は、前記蓄電素子側の端部である第一端部を含む第一導電部材と、前記少なくとも１つの電気部品側の端部である第二端部を含む第二導電部材であって、前記第一導電部材と異なる物性の材料で形成された第二導電部材とを有し、前記第一導電部材及び前記第二導電部材の接合部は、前記第一端部と前記第二端部との間の中間部に配置されている。
【０００８】
この構成によれば、例えば、第一導電部材の材料として、蓄電素子の電極端子との接合性がよい材料を選択し、かつ、第二導電部材の材料として、第一導電部材よりも抵抗が小さな材料を選択するなど、蓄電装置の信頼性を向上させるための設計が容易である。
【０００９】
また、接合部で発生する熱から、例えば制御、監視、もしくは装置保護を目的とする電気・電子回路または電気部品を保護することができ、かつ、接合部で発生する熱の、蓄電素子への伝導量を抑制することができる。
【００１０】
このように、本態様の蓄電装置は、蓄電素子と、蓄電素子及び少なくとも１つの電気部品を電気的に接続する導電部材とを備える蓄電装置であって、信頼性の高い蓄電装置である。
【００１１】
また、本発明の一態様に係る蓄電装置では、前記導電部材における電流経路上において、前記接合部と前記少なくとも１つの電気部品と間の距離は、前記接合部と前記蓄電素子との間の距離よりも長い、としてもよい。
【００１２】
この構成によれば、導電部材に接続された少なくとも１つの電気部品を、接合部で発生する熱から、より的確に保護することができる。
【００１３】
また、本発明の一態様に係る蓄電装置の前記接合部において、前記第一導電部材と前記第二導電部材との間には、前記第一導電部材及び前記第二導電部材のいずれとも異なる物性の材料で形成された第三導電部材が介在している、としてもよい。
【００１４】
この構成によれば、例えば、第一導電部材の材料のイオン化傾向と、第二導電部材の材料のイオン化傾向との間のイオン化傾向を有する材料で、第三導電部材を形成することで、接合部において接触している材料間におけるイオン化傾向の差を縮小することができる。その結果、例えば、接合部における腐食が抑制される。
【００１５】
また、本発明の一態様に係る蓄電装置において、前記第三導電部材は、前記第一導電部材または前記第二導電部材に被膜したメッキ層である、としてもよい。
【００１６】
この構成によれば、例えば、第三導電部材が薄く形成されるため、接合部の厚みが、第三導電部材を含むことによって増加することが抑制される。また、第三導電部材が、第一導電部材または第二導電部材と一体化されるため、接合部の形成のための作業（溶接、かしめ、または締結など）の際において、第三導電部材の位置決めまたは仮押さえ等を行うことなく当該作業を適切に実行することができる。
【００１７】
また、本発明の一態様に係る蓄電装置において、前記第三導電部材は、板材である、としてもよい。
【００１８】
この構成によれば、例えば、第三導電部材が、第一導電部材または第二導電部材にメッキ層として配置されている場合とは異なり、接合時の振動等に起因する剥がれ落ちの問題が生じない。また、例えば、一枚の金属板を切断することで複数の第三導電部材を得ることができる。このことは、例えば第三導電部材の品質の統一または管理の観点から有利である。
【００１９】
また、本発明の一態様に係る蓄電装置は、さらに、前記接合部の側方の位置において、前記第一導電部材及び前記第二導電部材に挟まれて配置された封止部材を備える、としてもよい。
【００２０】
この構成によれば、封止部材が存在することで、接合部に外気または水分が到達する可能性が低下する。その結果、例えば、異種金属同士が接合された部分である接合部の腐食が抑制される。
【００２１】
また、本発明の一態様に係る蓄電装置において、前記第一導電部材と前記第二導電部材とはクリンチかしめによって接合されている、としてもよい。
【００２２】
この構成によれば、例えば、ボルト及びナット、またはリベット等の他の部材を用いずに、第一導電部材と第二導電部材とを接合することができる。また、第一導電部材及び第二導電部材を機械的に噛合わせるため、例えば溶接の際に発生する熱の問題が生じない。
【発明の効果】
【００２３】
本発明によれば、蓄電素子と、蓄電素子及び少なくとも１つの電気部品を電気的に接続する導電部材とを備える蓄電装置であって、信頼性の高い蓄電装置を提供することができる。
【図面の簡単な説明】
【００２４】
【図１】実施の形態に係る蓄電装置の外観を示す斜視図である。
【図２】実施の形態に係る蓄電装置を分解した場合の各構成要素を示す分解斜視図である。
【図３】実施の形態に係る蓄電素子の斜視図である。
【図４】実施の形態に係る導電部材の構成を示す断面図である。
【図５】実施の形態の具体例１に係る導電部材の構成を示す断面拡大図である。
【図６】実施の形態の具体例２に係る導電部材の構成を示す断面拡大図である。
【図７】実施の形態の具体例３に係る導電部材の構成を示す断面拡大図である。
【発明を実施するための形態】
【００２５】
以下、図面を参照しながら、本発明の実施の形態に係る蓄電装置について説明する。なお、以下の実施の形態は、包括的または具体的な例を示すものである。以下の実施の形態で示される数値、形状、材料、構成要素、構成要素の配置位置及び接続形態、製造方法における各工程、各工程の順序などは、一例であり、本発明を限定する主旨ではない。また、以下の実施の形態における構成要素のうち、最上位概念を示す独立請求項に記載されていない構成要素については、任意の構成要素として説明される。また、各図において、寸法等は厳密に図示したものではない。
【００２６】
また、以下の説明及び図面中において、複数の蓄電素子の並び方向、蓄電素子の容器の長側面の対向方向、または、当該容器の厚さ方向をＸ軸方向と定義する。また、１つの蓄電素子における電極端子の並び方向、または、蓄電素子の容器の短側面の対向方向をＹ軸方向と定義する。また、蓄電装置の外装体本体と蓋体との並び方向、蓄電素子の容器本体と容器蓋部との並び方向、または、上下方向をＺ軸方向と定義する。これらＸ軸方向、Ｙ軸方向及びＺ軸方向は、互いに交差（本実施の形態では直交）する方向である。なお、使用態様によってはＺ軸方向が上下方向にならない場合も考えられるが、以下では説明の便宜のため、Ｚ軸方向を上下方向として説明する。また、以下の説明において、例えば、Ｘ軸方向プラス側とは、Ｘ軸の矢印方向側を示し、Ｘ軸方向マイナス側とは、Ｘ軸方向プラス側とは反対側を示す。Ｙ軸方向やＺ軸方向についても同様である。
【００２７】
（実施の形態）
まず、図１及び図２を用いて、本実施の形態における蓄電装置１０の全般的な説明を行う。図１は、実施の形態に係る蓄電装置１０の外観を示す斜視図である。図２は、実施の形態に係る蓄電装置１０を分解した場合の各構成要素を示す分解斜視図である。なお、図２では、蓄電素子ユニット３８０の正極側の電流経路が点線で概念的に図示されており、蓄電素子ユニット３８０の負極側の電流経路が一点鎖線で概念的に図示されている。
【００２８】
蓄電装置１０は、外部からの電気を充電し、また外部へ電気を放電することができる装置である。例えば、蓄電装置１０は、電力貯蔵用途や電源用途などに使用される電池モジュールである。具体的には、蓄電装置１０は、例えば、電気自動車（ＥＶ）、ハイブリッド電気自動車（ＨＥＶ）またはプラグインハイブリッド電気自動車（ＰＨＥＶ）等の自動車、自動二輪車、ウォータークラフト、スノーモービル、農業機械、建設機械などの移動体の駆動用またはエンジン始動用のバッテリ等として用いられる。
【００２９】
図１及び図２に示すように、蓄電装置１０は、蓋体１００及び外装体本体２００からなる外装体１１と、外装体１１内方に収容される複数の蓄電素子３００及び複数のバスバー４００とを備えている。なお、外装体１１の内方には、バスバーフレーム等の他の要素が配置されていてもよい。
【００３０】
外装体１１は、蓄電装置１０の外装体を構成する矩形状（箱状）の容器（モジュールケース）である。つまり、外装体１１は、複数の蓄電素子３００及びバスバー４００等の外方に配置され、これら蓄電素子３００等を所定の位置に配置し、衝撃などから保護する。また、外装体１１は、例えば、ポリカーボネート（ＰＣ）、ポリプロピレン（ＰＰ）、ポリエチレン（ＰＥ）、ポリフェニレンサルファイド樹脂（ＰＰＳ）、ポリブチレンテレフタレート（ＰＢＴ）またはＡＢＳ樹脂等の絶縁材料により構成されている。外装体１１は、これにより、蓄電素子３００等が外部の金属部材などに接触することを回避する。
【００３１】
蓋体１００は、外装体本体２００の開口を閉塞する扁平な矩形状の部材であり、正極外部端子１１０と負極外部端子１２０とが設けられている。蓄電装置１０は、この正極外部端子１１０と負極外部端子１２０とを介して、外部からの電気を充電し、また外部へ電気を放電する。また、外装体本体２００は、開口が形成された有底矩形筒状のハウジングである。
【００３２】
蓄電素子３００は、電気を充電し、また、電気を放電することのできる二次電池（単電池）であり、より具体的には、リチウムイオン二次電池などの非水電解質二次電池である。蓄電素子３００は、扁平な直方体形状（角型）の形状を有しており、本実施の形態では、８個の蓄電素子３００がＸ軸方向に配列されている。なお、蓄電素子３００の形状や、配列される蓄電素子３００の個数は限定されない。また、蓄電素子３００は、非水電解質二次電池には限定されず、非水電解質二次電池以外の二次電池であってもよいし、キャパシタであってもよく、さらに、使用者が充電をしなくても蓄えられている電気を使用できる一次電池であってもよい。この蓄電素子３００の構成の詳細な説明については、後述する。
【００３３】
バスバー４００は、複数の蓄電素子３００上に配置され、複数の蓄電素子３００の電極端子同士を電気的に接続する矩形状の板状部材である。本実施の形態では、バスバー４００は、アルミニウム合金により形成されている。
【００３４】
また、本実施の形態では、バスバー４００は、蓄電素子３００を２個ずつ並列に接続して４セットの蓄電素子群を構成し、当該４セットの蓄電素子群を直列に接続する。このように接続された複数の蓄電素子３００を１つの蓄電素子ユニット３８０とした場合、蓄電素子ユニット３８０の正極（Ｘ軸方向プラス側に配置された２個の蓄電素子３００の正極端子（後述の正極端子３２０））は、正極外部端子１１０と電気的に接続されている。具体的には、本実施の形態では、蓄電素子ユニット３８０の正極は、導電部材５００及び保護回路８００等を介して正極外部端子１１０と電気的に接続されている。
【００３５】
また、蓄電素子ユニット３８０の負極（Ｘ軸方向マイナス側に配置された２個の蓄電素子３００の負極端子（後述の負極端子３３０））は、導電部材５５０等を介して負極外部端子１２０と電気的に接続されている。
【００３６】
なお、複数の蓄電素子３００の接続形態は、図２に示すものに限定されず、例えば、隣り合う２つの蓄電素子３００の異極同士がバスバーで接続されることで、８個全てが直列に接続されてもよい。
【００３７】
本実施の形態において、導電部材５００は第一導電部材５１０と第二導電部材５２０とを含む。第一導電部材５１０の一端には蓄電素子３００（図２では２つの蓄電素子３００）が接続され、第二導電部材５２０の一端には、保護回路８００が接続されている。また、第一導電部材５１０の他端と第二導電部材５２０の他端とは接合されている。本実施の形態では、第一導電部材５１０と第二導電部材５２０とは、板厚方向に接合されている。
【００３８】
また、第一導電部材５１０と第二導電部材５２０とは、これらの間に第三導電部材６００が介在した状態で接合されている。負極側の導電部材５５０も同様に、第一導電部材５６０と第二導電部材５７０とが第三導電部材６００が介在した状態で、板厚方向に接合されている。
【００３９】
保護回路８００には、例えばヒューズが内蔵されており、保護回路８００に通常の範囲を超える大電流が流れた場合に、ヒューズが溶断することで保護回路８００を含む電流経路が遮断される。つまり、蓄電装置１０において、短絡等に起因して通常ではない大きさの電流が流れた場合、蓄電装置１０からの放電及び蓄電装置１０への充電が停止される。なお、保護回路８００は、第二導電部材５２０と電気的に接続される「少なくとも１つの電気部品」の一例であるが、保護回路８００が有するヒューズ等の回路部品が、「少なくとも１つの電気部品」であるということもできる。
【００４０】
なお、第一導電部材５１０（５６０）と第二導電部材５２０（５７０）との接合は、溶接、かしめ、締結など各種の手法が採用し得る。第一導電部材５１０及び第二導電部材５２０を有する導電部材５００に関する詳細については、図４〜図７を用いて後述する。
【００４１】
次に、蓄電素子３００の構成について、詳細に説明する。図３は、実施の形態に係る蓄電素子３００の斜視図である。なお、図３では、蓄電素子３００の容器３１０を透視して、蓄電素子３００の内部が図示されている。
【００４２】
図３に示すように、蓄電素子３００は、容器３１０と、正極端子３２０と、負極端子３３０とを備えている。また、容器３１０内方には、電極体３４０、正極集電体３５０及び負極集電体３６０が配置されている。なお、容器３１０の内方には、電解液（非水電解質）も封入されているが、図示は省略する。また、上記の構成要素の他、正極端子３２０、負極端子３３０、正極集電体３５０及び負極集電体３６０と容器３１０との間にガスケットが配置されていてもよいし、電極体３４０と容器３１０との間にスペーサが配置されていてもよい。
【００４３】
容器３１０は、容器本体３１１と容器蓋部３１２とを有する。具体的には、容器３１０は、図３におけるＺ軸方向マイナス側に底面部３１５、Ｘ軸方向両側の側面に長側面部３１４、Ｙ軸方向両側の側面に短側面部３１３、及び、Ｚ軸方向プラス側に容器蓋部３１２を有する直方体形状（角型）の容器である。つまり、容器３１０は、底面部３１５と２つの長側面部３１４と２つの短側面部３１３とで、矩形筒状で底を備える容器本体３１１を構成し、容器本体３１１の開口を容器蓋部３１２が閉塞する構成となっている。
【００４４】
具体的には、容器３１０は、電極体３４０等を容器本体３１１の内方に収容後、容器本体３１１と容器蓋部３１２とが溶接等によって接合されることで、内部を密封することができる構造を有している。なお、容器３１０（容器本体３１１及び容器蓋部３１２）の材質は、特に限定されないが、例えばステンレス鋼、アルミニウム、アルミニウム合金など溶接可能（接合可能）な金属であるのが好ましい。
【００４５】
電極体３４０は、電気を蓄えることができる蓄電要素（発電要素）であり、正極板と負極板とセパレータとを備え、当該正極板、負極板及びセパレータがＸ軸方向に積層されて形成されている。具体的には、電極体３４０は、正極板、負極板及びセパレータが巻回軸（電極体３４０の中心を貫くＹ軸方向の仮想軸）まわりに巻回されて形成された巻回型の電極体であり、正極集電体３５０及び負極集電体３６０と電気的に接続される。
【００４６】
正極板は、アルミニウムやアルミニウム合金などからなる長尺帯状の金属箔である正極基材層の表面に、正極合材層が形成された電極板である。負極板は、銅や銅合金などからなる長尺帯状の金属箔である負極基材層の表面に、負極合材層が形成された電極板である。セパレータは、樹脂からなる微多孔性のシートである。なお、正極合材層及び負極合材層に用いられる正極活物質及び負極活物質としては、リチウムイオンを吸蔵放出可能な活物質であれば、適宜公知の材料を使用できる。セパレータについても、蓄電素子３００の性能を損なうものでなければ適宜公知の材料を使用できる。
【００４７】
より詳細には、電極体３４０は、正極板と負極板とが、セパレータを介して、巻回軸の方向（Ｙ軸方向）に互いにずらして巻回されている。そして、正極板及び負極板は、それぞれのずらされた方向の端部に、合材層が形成されず基材層が露出した部分である合材層非形成部を有している。具体的には、電極体３４０は、巻回軸方向の一端（Ｙ軸方向プラス側の端部）に、正極板の合材層非形成部が積層された正極側端部３４１を有している。また、同様に、電極体３４０は、巻回軸方向の他端（Ｙ軸方向マイナス側の端部）に、負極板の合材層非形成部が積層された負極側端部３４２を有している。
【００４８】
正極集電体３５０は、電極体３４０の正極板と容器３１０の側壁との間に配置され、正極端子３２０と電極体３４０の正極板とに電気的に接続される導電性と剛性とを備えた部材である。また、負極集電体３６０は、電極体３４０の負極板と容器３１０の側壁との間に配置され、負極端子３３０と電極体３４０の負極板とに電気的に接続される導電性と剛性とを備えた部材である。具体的には、正極集電体３５０は、電極体３４０の正極側端部３４１に溶接などによって接合され、負極集電体３６０は、電極体３４０の負極側端部３４２に溶接などによって接合されている。なお、正極集電体３５０は、正極板の正極基材層と同様、アルミニウムまたはアルミニウム合金などで形成され、負極集電体３６０は、負極板の負極基材層と同様、銅または銅合金などで形成されている。
【００４９】
正極端子３２０は、正極集電体３５０を介して、電極体３４０の正極板に電気的に接続された電極端子であり、負極端子３３０は、負極集電体３６０を介して、電極体３４０の負極板に電気的に接続された電極端子である。具体的には、正極端子３２０は、例えば、正極端子３２０から延設されたリベット部が容器蓋部３１２及び正極集電体３５０を貫通した状態でかしめられることで、正極集電体３５０と機械的及び電気的に接続される。負極端子３３０も同様に、負極端子３３０から延設されたリベット部が容器蓋部３１２及び負極集電体３６０を貫通した状態でかしめられることで、負極集電体３６０と機械的及び電気的に接続される。
【００５０】
つまり、正極端子３２０及び負極端子３３０は、電極体３４０に蓄えられている電気を蓄電素子３００の外部空間に導出し、また、電極体３４０に電気を蓄えるために蓄電素子３００の内部空間に電気を導入するための金属製の電極端子である。なお、正極端子３２０及び負極端子３３０の材料としては、アルミニウムまたはアルミニウム合金などが採用される。本実施の形態では、正極端子３２０及び負極端子３３０は、アルミニウムで形成されている。
【００５１】
ここで、正極端子３２０及び負極端子３３０がアルミニウム製である場合、バスバー４００等の、正極端子３２０及び負極端子３３０の少なくとも一方と溶接される導電体も、アルミニウムまたはアルミニウム合金で形成される。
【００５２】
具体的には、本実施の形態では、正極端子３２０及び負極端子３３０の少なくとも一方と溶接されるバスバー４００並びに第一導電部材５１０及び５６０は、アルミニウムによって形成されている。すなわち、正極端子３２０及び負極端子３３０と接続される導電体の材料は、これら電極端子との溶接部分の信頼性を考慮すると、これら電極端子と同種の金属（本実施の形態ではアルミニウム）であることが有利である。
【００５３】
しかし、その一方で、電気抵抗を抑制するという観点からは、導電体の材料として、例えば銅を採用することが好ましい。つまり、蓄電装置１０内の電流経路における電気抵抗の大きさは、エネルギー損失の拡大及び発熱等の問題につながるため、電気抵抗は小さいことが好ましい。
【００５４】
そこで、本実施の形態では、正極端子３２０と接続される導電部材５００のうち、正極端子３２０と接続される第一導電部材５１０の材料としてアルミニウムが採用され、保護回路８００と接続される第二導電部材５２０の材料として銅が採用される。また、負極端子３３０と接続される導電部材５５０のうち、負極端子３３０と接続される第一導電部材５６０の材料としてアルミニウムが採用され、第一導電部材５６０と負極外部端子１２０との間の電流経路の一部を形成する第二導電部材５７０の材料として銅が採用される。
【００５５】
以下、図４〜図７を参照しながら、蓄電素子ユニット３８０の正極側に配置された導電部材５００の構成の詳細及び具体例について説明する。なお、蓄電素子ユニット３８０の負極側に配置された導電部材５５０の基本的な構成は、導電部材５００と共通するため、導電部材５５０についての説明は省略する。
【００５６】
図４は、実施の形態に係る導電部材５００の構成を示す断面図である。なお、図４では、導電部材５００のＸＺ平面に平行な断面が図示されており、蓄電素子３００及び保護回路８００については側面が図示されている。また、導電部材５００と蓄電素子３００及び保護回路８００それぞれとの接合は、締結、かしめ、及び溶接等の各種の手法が用いられるが、図４では、これらの接合箇所は簡易化されて（接合の態様を示さずに）図示されている。また、本実施の形態では、第一導電部材５１０には、蓄電素子ユニット３８０の正極を構成する、２つの蓄電素子３００それぞれの正極端子３２０（例えば図２参照）が、例えばレーザ溶接によって接合される。しかし、導電部材５００の構成の明確化のため、２つの蓄電素子３００のうちの内側（Ｘ軸方向マイナス側）の蓄電素子３００についての図示及び説明は省略する。
【００５７】
図４に示すように、本実施の形態に係る蓄電装置１０は、蓄電素子３００と、蓄電素子３００及び少なくとも１つの電気部品（本実施の形態では保護回路８００）を電気的に接続する導電部材５００とを備える。導電部材５００は、蓄電素子３００側の端部である第一端部５１１を含む第一導電部材５１０と、保護回路８００側の端部である第二端部５２１を含む第二導電部材５２０とを有する。第二導電部材５２０は、第一導電部材５１０と異なる物性の材料で形成されている。第一導電部材５１０及び第二導電部材５２０の接合部５８０は、第一端部５１１と第二端部５２１との間の中間部に配置されている。
【００５８】
この構成によれば、第一導電部材５１０の材料として、蓄電素子３００の正極端子３２０との接合性がよい材料を選択し、かつ、第二導電部材５２０の材料として、第一導電部材５１０よりも抵抗が小さな材料を選択することができる。具体的には、上述のように、第一導電部材５１０はアルミニウムで形成され、第二導電部材５２０は銅で形成される。これにより、導電部材５００と、アルミニウム製である正極端子３２０との溶接部分についての信頼性が確保され、導電部材５００全体としての電気抵抗が抑制される。これにより、蓄電装置１０の信頼性が向上される。
【００５９】
なお、第一導電部材５１０の材料としてアルミニウム合金が採用され、第二導電部材５２０の材料として銅合金が採用されてもよい。この場合であっても、導電部材５００と、アルミニウム製である正極端子３２０との溶接部分についての信頼性の確保、及び、導電部材５００全体としての電気抵抗の抑制という効果を得ることがきる。
【００６０】
また、第一導電部材５１０及び第二導電部材５２０の接合部５８０は、電気抵抗が互いに異なる異種金属同士が接合されている部分であるため発熱しやすい部分である。しかし、この接合部５８０は、蓄電素子３００及び保護回路８００のそれぞれから離間して配置されている。
【００６１】
具体的には、第一導電部材５１０は、蓄電素子３００の正極端子３２０とレーザ溶接等によって接合された第一端部５１１を有し、かつ、第一端部５１１から延設された第一延設部５１２を有する。接合部５８０は、第一延設部５１２の、保護回路８００側（電流経路において保護回路８００に近い側の意味、以下同様）の端部に設けられている。
【００６２】
また、第二導電部材５２０は、保護回路８００の回路本体部８１０に設けられたリード板８２０と接合された第二端部５２１を有し、かつ、第二端部５２１から延設された第二延設部５２２を有する。接合部５８０は、第二延設部５２２の、蓄電素子３００側の端部に設けられている。
【００６３】
つまり、接合部５８０は、電流経路において、第一導電部材５１０の蓄電素子３００から遠い側の端部（第一延設部５１２の端部）と、第二導電部材５２０の保護回路８００から遠い側の端部（第二延設部５２２の端部）とが接合された部分である。なお、導電部材５００における電流経路は、第一端部５１１と第二端部５１２とを結ぶ方向であって、かつ、ともに板状の部材である導電部材５１０及び第二導電部材５２０の板厚方向に直交する方向に形成されている。
【００６４】
従って、接合部５８０で発生する熱の、蓄電素子３００への伝導量を抑制することができ、かつ、接合部５８０で発生する熱から、１以上の電気部品（本実施の形態では保護回路８００）を保護することができる。従って、仮に接合部５８０が発熱した場合であっても、その熱に起因する熱暴走等の不具合の発生が抑制される。このように、本実施の形態に係る蓄電装置１０は、信頼性の高い蓄電装置１０である。
【００６５】
また、本実施の形態では、導電部材５００における電流経路上において、接合部５８０と、少なくとも１つの電気部品（本実施の形態では保護回路８００）との間の距離Ｌ１は、接合部５８０と蓄電素子３００との間の距離Ｌ２よりも長い。
【００６６】
この構成によれば、導電部材５００に接続された保護回路８００を、接合部５８０で発生する熱から、より的確に保護することができる。
【００６７】
ここで、本実施の形態に係る接合部５８０において、第一導電部材５１０と第二導電部材５２０との間には、第一導電部材５１０及び第二導電部材５２０のいずれとも異なる物性の材料で形成された第三導電部材６００が介在している。つまり、第一導電部材５１０と第二導電部材５２０とは、図４に示すように、第三導電部材６００を介して接合されている。
【００６８】
本実施の形態では、第三導電部材６００の材料としてニッケルが採用されている。ニッケルは、第一導電部材５１０の材料であるアルミニウムよりもイオン化傾向が小さく、かつ、第二導電部材５２０の材料である銅よりもイオン化傾向が大きい。
【００６９】
従って、接合部５８０において、第一導電部材５１０と第二導電部材５２０とが直接的に接触している場合より、異種金属間（アルミニウム−ニッケル間、ニッケル−銅間）におけるイオン化傾向の差が小さくなる。
【００７０】
その結果、接合部５８０において、接触している異種金属間におけるイオン化傾向が大きいことに起因する腐食（酸化）が抑制される。すなわち、接合部５８０において、第一導電部材５１０と第二導電部材５２０との間に第三導電部材６００を介在させることで、蓄電装置１０の品質または信頼性の低下が抑制される。
【００７１】
また、ニッケルで形成された第三導電部材６００は、アルミニウムで形成された第一導電部材５１０、及び、銅で形成された第二導電部材５２０のそれぞれと溶接しやすい。そのため、第一導電部材５１０と第二導電部材５２０との間に第三導電部材６００を介在させることで、接合部５８０ｃの接合強度を向上させることができる。
【００７２】
なお、第三導電部材６００の材料は、ニッケルに、例えば、アルミニウム、鉄、または銅などが添加されたニッケル合金であってもよい。
【００７３】
また、第三導電部材６００の材料として採用される、アルミニウムよりもイオン化傾向が小さく、かつ、銅よりもイオン化傾向が大きい材料としては、ニッケルの他に、亜鉛及びクロム等がある。
【００７４】
なお、第三導電部材６００は、複数の部材が積層されることで形成されていても構わない。例えば、ニッケルと亜鉛などの２種の材料が積層されることで第三導電部材６００が形成されていても構わないし、ニッケルの他に亜鉛とクロムなどの３種以上の材料が積層されることで第三導電部材６００が形成されていても構わない。例えば、第三導電部材６００において、アルミニウムで形成された第一導電部材５１０側から、銅で形成された第二導電部材５２０側に向かって、複数の部材が、イオン化傾向の順番（降順）で並んで配置されていても構わない。このように複数の層からなる第三導電部材６００を、第一導電部材５１０と第二導電部材５２０との間に介在させることで、隣り合う異種金属間におけるイオン化傾向の差がより小さくなり、より効果的に腐食（酸化）が抑制される。
【００７５】
また、本実施の形態では、第三導電部材６００は、例えば図２に示すように、板材である。これにより、例えば、第三導電部材６００が、第一導電部材５１０または第二導電部材５２０にメッキ層として配置されている場合とは異なり、接合時の振動等に起因する剥がれ落ちの問題が生じない。また、例えば、一枚の金属板を切断することで複数の第三導電部材６００を得ることができる。このことは、例えば第三導電部材６００の品質の統一または管理の観点から有利である。
【００７６】
ここで、本実施の形態では、第一導電部材５１０及び第二導電部材５２０のそれぞれは、板状の部材であり、接合部５８０では、第一導電部材５１０の第一延設部５１２と、第二導電部材５２０の第二延設部５２２とが板厚方向に重ねられた状態で接合されている。また、その接合の手法としては、上述のように各種の手法を採用し得る。そこで、実施の形態に係る第一導電部材５１０及び第二導電部材５２０の接合手法（接合態様）の具体例について、図５〜図７を用いて説明する。なお、以下の具体例１〜３に示される導電部材５００ａ〜５００ｃは、基本的な構成は上記実施の形態に係る導電部材５００と同一であり、かつ、接合部における接合態様が互いに異なる部材である。
【００７７】
（具体例１）
図５は、実施の形態の具体例１に係る導電部材５００ａの構成を示す拡大断面図である。図５に示す導電部材５００ａが有する接合部５８０ａは、第一導電部材５１０の第一延設部５１２と、第二導電部材５２０の第二延設部５２２とが重ねられた状態で、締結具９００によって締結されることで形成されている。
【００７８】
締結具９００は、一対のボルト９１０及びナット９２０を有し、例えば図５に示すように、ボルト９１０の軸部が、第一導電部材５１０、第三導電部材６００、及び第二導電部材５２０を貫通した状態で、ボルト９１０の軸部に螺合するナット９２０が締め付けられる。これにより、第一導電部材５１０及び第二導電部材５２０が、第三導電部材６００が介在した状態で締結される。
【００７９】
このように、第一導電部材５１０及び第二導電部材５２０の接合に締結具９００を用いることで、第一導電部材５１０及び第二導電部材５２０を簡易な構成で強固に接合することができる。
【００８０】
ここで、接合部５８０ａにおける外周部（図５では、接合部５８０ａの上端部及び下端部）は、ボルト９１０及びナット９２０による締結力が直接的に作用しないため、第一導電部材５１０及び第二導電部材５２０の間に隙間が生じる可能性がある。この隙間に、例えば水分が進入した場合、接合部５８０の腐食が発生することが考えられる。しかしながら、本具体例では、第一導電部材５１０及び第二導電部材５２０の間には、ニッケルを材料とする第三導電部材６００が介在しており、接合部５８０ａにおいて接触している材料間におけるイオン化傾向の差が比較的小さくなっている。これにより、接合部５８０ａにおける腐食の発生が抑制される。
【００８１】
なお、第一導電部材５１０及び第二導電部材５２０を締結する締結具９００として、ボルト９１０及びナット９２０ではなく、例えばリベットが採用されてもよい。また、複数の締結具９００によって第一導電部材５１０及び第二導電部材５２０が締結されてもよい。
【００８２】
（具体例２）
図６は、実施の形態の具体例２に係る導電部材５００ｂの構成を示す断面拡大図である。図６に示す導電部材５００ｂが有する接合部５８０ｂは、第一導電部材５１０の第一延設部５１２と、第二導電部材５２０の第二延設部５２２とが重ねられた状態で、例えばレーザ溶接によって溶接されることで形成されている。
【００８３】
本具体例では、第一延設部５１２に、第二延設部５２２に向かって突出した凸部５１２ａが形成されており、凸部５１２ａの先端面と、第二導電部材５２０の第二延設部５２２とが接合されている。
【００８４】
また、本具体例では、接合部５８０ｂの側方の位置において、第一導電部材５１０及び第二導電部材５２０に挟まれて配置された封止部材７００が備えられている。封止部材７００は、例えばシリコーンゴムまたはエチレン・プロピレン・ジエンゴム（ＥＰＤＭ）等の、弾性を有し、かつ、耐熱性が比較的に高い材料で形成されている。
【００８５】
このように封止部材７００が配置されていることで、例えば、外部から接合部５８０ｂに外気または水分が到達する可能性が低下する。その結果、例えば、異種金属同士が接合された部分である接合部５８０ｂの腐食が抑制される。
【００８６】
また、本具体例において、封止部材７００は、環状（Ｘ軸方向から見た場合）に形成されており、接合部５８０ｂを囲むように配置されている。これにより、接合部５８０ｂにおける部材間（第一導電部材５１０と第二導電部材５２０との間）の境界の封止がより確実化される。つまり、接合部５８０ｂは、封止部材７００により形成された密閉空間内に置かれる。従って、接合部５８０ｂが腐食する可能性がより低下される。
【００８７】
なお、図６に示す構成を有する接合部５８０ｂは、例えば、以下の工程によって形成される。まず、凸部５１２ａに環状の封止部材７００を配置して、第一導電部材５１０及び第二導電部材５２０の一方を他方側に押す。これにより、凸部５１２ａの先端面が第二導電部材５２０の第二延設部５２２に押し当てられ、かつ、封止部材７００が第一導電部材５１０及び第二導電部材５２０のそれぞれに密着する。さらに、その状態を維持しながら、例えばレーザ光を凸部５１２ａの裏側（Ｘ軸方向プラス側）から照射することで、凸部５１２ａと第二延設部５２２とを溶接する。これにより、封止部材７００によって周囲が囲まれた接合部５８０ｂが形成される。
【００８８】
なお、接合部５８０ｂにおいて、第一導電部材５１０と第二導電部材５２０との間に、例えばニッケルで形成された第三導電部材が配置されていてもよい。この場合であっても、第一導電部材５１０と第二導電部材５２０とが突き合わされた部分であって、かつ、溶接されていない部分に第三導電部材が存在することで、接触している材料間におけるイオン化傾向の差を縮小することができる。その結果、例えば、接合部５８０ｂにおける腐食が抑制される。また、第一導電部材５１０及び第二導電部材５２０のそれぞれと溶接しやすいニッケルで形成された第三導電部材が存在することで、接合部５８０ｂの接合強度を向上させることができる。
【００８９】
（具体例３）
図７は、実施の形態の具体例３に係る導電部材５００ｃの構成を示す断面拡大図である。図７に示す導電部材５００ｃが有する接合部５８０ｃは、第一導電部材５１０の第一延設部５１２と、第二導電部材５２０の第二延設部５２２とが重ねられた状態で、かしめられることで形成されている。
【００９０】
本具体例では、第一導電部材５１０と第二導電部材５２０とは、クリンチかしめによって接合されている。より詳細には、ともに平板状の第一延設部５１２と第二延設部５２２とが重ねられた状態でかしめられ、これにより、第一延設部５１２に凸部５１２ｂが形成され、かつ、第二延設部５２２に、凸部５１２ｂが圧入された状態の凹部５２２ａが形成される。
【００９１】
つまり、本具体例では、例えば、ボルト及びナット、またはリベット等の他の部材を用いずに、第一導電部材５１０と第二導電部材５２０とが接合される。そのため、蓄電装置１０の製造に必要な部品点数の増加が抑制される。また、第一導電部材５１０及び第二導電部材５２０を機械的に嵌合させるため、例えばレーザ溶接等の溶接の際に発生する熱の問題が生じない。
【００９２】
また、本具体例では、第一導電部材５１０と第二導電部材５２０との間に第三導電部材６１０が介在しており、第三導電部材６１０は、第二導電部材５２０に被膜したメッキ層である。例えば第二導電部材５２０において、少なくとも、第一導電部材５１０と対向する面のクリンチかしめられる領域にニッケルメッキが施されており、これにより形成されるニッケルのメッキ層が第三導電部材６１０として配置されている。
【００９３】
この構成によれば、例えば、第三導電部材６１０が薄く形成されるため、接合部５８０ｃが、第三導電部材６１０を含むことによる厚みの増加が抑制される。また、第三導電部材６１０が、例えば第二導電部材５２０と一体化されるため、接合部５８０ｃの形成のための作業（本具体例ではクリンチかしめ）の際において、第三導電部材６１０の位置決めまたは仮押さえ等を行うことなく当該作業を適切に実行することができる。
【００９４】
なお、メッキ層である第三導電部材６１０は、第一導電部材５１０に形成されていてもよい。また、第一導電部材５１０と第二導電部材５２０との間に第三導電部材６１０が介在せずに、第一導電部材５１０と第二導電部材５２０とがクリンチかしめによって接合されてもよい。
【００９５】
また、第一導電部材５１０及び第二導電部材５２０がクリンチかしめによって接合される場合に、メッキ層として形成される第三導電部材６１０に換えて、板材である第三導電部材６００（例えば図２参照）が、第一導電部材５１０及び第二導電部材５２０の間に配置されてもよい。
【００９６】
また、例えば図５に示すように、第一導電部材５１０及び第二導電部材５２０がボルト９１０及びナット９２０によって締結される場合に、第一導電部材５１０及び第二導電部材５２０の間に、第一導電部材５１０または第二導電部材５２０に被覆したメッキ層が、第三導電部材として配置されていてもよい。
【００９７】
また、例えば図６に示すように、第一導電部材５１０及び第二導電部材５２０が溶接によって接合される場合に、第一導電部材５１０及び第二導電部材５２０の間に、第一導電部材５１０または第二導電部材５２０に被覆したメッキ層が、第三導電部材として配置されていてもよい。
【００９８】
（他の実施の形態）
以上、本発明に係る蓄電装置について、実施の形態及びその具体例に基づいて説明した。しかしながら、本発明は、上記実施の形態及びその具体例に限定されるものではない。本発明の趣旨を逸脱しない限り、当業者が思いつく各種変形を上記実施の形態またはその具体例に施したものも、あるいは、上記説明された複数の構成要素を組み合わせて構築される形態も、本発明の範囲内に含まれる。
【００９９】
例えば、導電部材５００に電気的に接続される少なくとも１つの電気部品の種類に特に限定はない。蓄電装置１０の充電及び放電を制御する制御回路、複数の蓄電素子３００の電圧を計測する電圧計測回路、または、蓄電素子３００等の温度を計測するためのサーミスタ等が、導電部材５００に電気的に接続される少なくとも１つの電気部品として、蓄電装置１０に備えられてもよい。また、導電部材５００に電気的に接続される少なくとも１つの電気部品は、蓄電装置１０の外部に配置されていてもよい。いずれの場合であっても、少なくとも１つの電気部品は、導電部材５００の接合部５８０と離間した位置に配置されるため、接合部５８０が発する熱の影響は受け難い。
【０１００】
また、導電部材５００は、少なくとも１つの蓄電素子３００と、少なくとも１つの電気部品との間の電流経路を形成する部材として、第一導電部材５１０、第二導電部材５２０、及び第三導電部材６００以外の部材を有してもよい。
【０１０１】
例えば、第二導電部材５２０と少なくとも１つの電気部品（例えば保護回路８００）との間に、第二導電部材５２０とは別体の導電部材（第四導電部材）が配置されてもよい。言い換えると、第一導電部材５１０及び第二導電部材５２０のそれぞれは、互いに別体の複数の導電部材で構成されてもよい。いずれの場合であっても、第一端部５１１と第二端部５２１（例えば図４参照）との間の中間部に接合部５８０が設けられることで、接合部５８０を、蓄電素子３００及び少なくとも１つの電気部品から離間させることができる。
【０１０２】
また、図２及び図４等に示される第一導電部材５１０及び第二導電部材５２０の形状及びサイズは例示であり、これらの形状及びサイズは、例えば、外装体１１のサイズ、外装体１１に収容される保護回路８００等の他の要素の位置等に応じて適宜決定されてもよい。
【０１０３】
また、図５〜図７に示す、接合部の具体例１〜３（接合部５８０ａ、５８０ｂ、５８０ｃ）の特徴が組み合わされてもよい。例えば、図６に示す封止部材７００が、図７に示される第一導電部材５１０の凸部５１２ｂを囲むように配置されてもよい。この場合、クリンチかしめによって形成される接合部５８０ｃが配置された空間が封止部材７００によって密閉され、これにより、接合部５８０ｃの腐食がより確実に抑制される。
【０１０４】
また。例えば、図６に示される第一導電部材５１０の凸部５１２ａの内側（凹んだ部分）に対して、クリンチかしめが行われてもよい。この場合であっても、接合部５８０ｂが配置された空間が封止部材７００によって密閉されるため、接合部５８０ｂの腐食がより確実に抑制される。
【０１０５】
また、蓄電素子３００が有する電極体３４０は、正極板と負極板とセパレータとが縦方向に巻回（図３においてＹ軸方向に平行な巻回軸にて巻回）されて形成された縦巻きの巻回型形状であるとした。しかし、電極体３４０は、正極板と負極板とセパレータとが横方向に巻回（Ｚ軸方向に平行な巻回軸にて巻回）されて形成された横巻きの巻回型形状であってもよいし、平板状極板を積層した積層型形状であってもよい。
【０１０６】
また、本発明は、このような蓄電装置１０として実現することができるだけでなく、蓄電装置１０が備える導電部材等としても実現することができる。
【産業上の利用可能性】
【０１０７】
本発明は、リチウムイオン二次電池などの蓄電素子を備えた蓄電装置等に適用できる。
【符号の説明】
【０１０８】
１０  蓄電装置
３００  蓄電素子
５００、５００ａ、５００ｂ、５００ｃ、５５０  導電部材
５１０、５６０  第一導電部材
５１１  第一端部
５１２  第一延設部
５２０、５７０  第二導電部材
５２１  第二端部
５２２  第二延設部
５８０、５８０ａ、５８０ｂ、５８０ｃ  接合部
６００、６１０  第三導電部材
７００  封止部材
８００  保護回路
【図１】
2018110083.tif 000003
【図２】
2018110083.tif 000004
【図３】
2018110083.tif 000005
【図４】
2018110083.tif 000006
【図５】
2018110083.tif 000007
【図６】
2018110083.tif 000008
【図７】
2018110083.tif 000009